(57)【特許請求の範囲】
【請求項１】
筒状織布に開口部を形成するとともに、該開口部に他の筒状織布を挿入して接合するようにした土木用袋体の連結構造において、前記開口部を、１辺が他の筒状織布の直径と略同長の十文字の切り込みにより形成するとともに、該切り込みを対角線とする四角形の外周部を他の筒状織布に縫着したことを特徴とする土木用袋体の連結構造。
【請求項２】
筒状織布が熱溶融性繊維からなり、十文字の切り込みを熱溶融により形成したことを特徴とする請求項１記載の土木用袋体の連結構造。
【請求項３】
十文字の切り込み片を筒状織布の内側に折り込んだことを特徴とする請求項１又は２記載の土木用袋体の連結構造。
【請求項４】
切り込み片を内側に折り返して筒状織布に重ね、該筒状織布とともに他の筒状織布に縫着したことを特徴とする請求項１、２又は３記載の土木用袋体の連結構造。
【請求項５】
切り込み片を切り込みの端部より外側で折り返すことを特徴とする請求項４記載の土木用袋体の連結構造。
【請求項６】
筒状織布の織目に対し、十文字の切り込みをバイアスに設けたことを特徴とする請求項１、２、３、４又は５記載の土木用袋体の連結構造。
【請求項７】
縫着部において他の筒状織布を半径内方向にたるませ、該他の筒状織布の縫着部の周長が元の周長より小さくなるように縫着したことを特徴とする請求項１、２、３、４、５又は６記載の土木用袋体の連結構造。
【請求項８】
他の筒状織布に、該他の筒状織布を周方向に４分割する長手方向の色糸を織り込んだことを特徴とする請求項１、２、３、４、５、６又は７記載の土木用袋体の連結構造。
【請求項９】
請求項１、２、３、４、５、６、７又は８記載の連結構造を有し、他の筒状織布により流動性材料の注入口を形成したことを特徴とする土木用袋体。
【発明の詳細な説明】
【技術分野】
【０００１】
本発明は、土木用袋体の連結構造及びこの連結構造を用いた土木用袋体に関し、特に、加圧時の切り込み部からの糸抜けを防止し筒状織布の連結強度を上げるとともに、膨張時に袋が短く変形することを防止するようにした土木用袋体の連結構造及びこの連結構造を用いた土木用袋体に関するものである。
【背景技術】
【０００２】
切り土等の斜面を安定化する工法には、例えば、切り土等の斜面安定化工法に用いる受圧板や切り土法面保護工法や、複数の土嚢を並べてなる地盤補強構造物を用いる地盤補強方法、マット状の袋型枠等を用いて中詰めにコンクリート等を充填しているダム貯水池等の水中部の法面保護工法等がある。
【０００３】
これらの工法では、十字形状又はそれを連結した連続十字形状もしくは格子形状の構造物を用いて地盤表面の補強や地盤内部の補強を行っている。
【０００４】
地盤補強を行うための十字形状や、それを連結した連続十字形状又は格子形状の構造を作る方法としては、一般に筒状のジオテキスタイルを十字、連続十字状又は格子状にあらかじめ形成し、柔軟でコンパクトにできるそれらの材料を施工現場に持ち込み、ジオテキスタイル内部にモルタルや泥水のような固体粒子を含む流動性材料を充填して硬化又は固化させることにより構造物を形成し、地盤表面の補強や地盤内部の補強に用いる方法が知られている。
【０００５】
筒状のジオテキスタイルを十字又は連続十字、格子状に形成する手段としては、上記の技術のほかに、ホース形状の筒状織布を十字又は格子状に重ねてその交点を接続部材で固定したもの、ホース状の筒状織布を「く」の字状に折り曲げ、曲がり部同士を接続部材で固定したもの、シート状のジオテキスタイルを十字形状又は格子形状に切断して２枚重ね合わせ、縫製加工したもの等がある。
【０００６】
ところで、本件出願人は、特許文献１に記載されるように、切り土等の斜面安定化工法に用いる受圧板用袋体を出願している。
【０００７】
この受圧板用袋体は、筒状織布のほぼ中央に他の筒状織布の織幅に略一致する長さで２箇所の切れ目を入れ、その切れ目に他の筒状織布を挿入して、筒状織布に他の筒状織布を貫通させ、筒状織布の前記切れ目の縁近傍と該切れ目に当接する他の筒状織布の表面を接合させ、筒状織布の内部に位置する他の筒状織布の表面に、他の筒状織布の内部から筒状織布内部に通じる孔を設け、他の筒状織布にはモルタル注入口を設けている。
【０００８】
また、本件出願人は、特許文献２に記載されるように、筒状織布に直径が他の部分より大きい大径部を設け、この大径部に開口部を形成するとともに、該開口部に他の筒状織布の大径部を挿入して縫着されるようにし、他の筒状織布又は筒状織布にグラウトや泥土等の流動性材料の注入口を設けるようにした土木用袋体を提案している。
【０００９】
ところで、特許文献１及び２の土木用袋体では、筒状織布同士の連結は、筒状織布に他の筒状織布の織幅程度の直線状の切り込みを入れたり、他の筒状織布の径と同程度の円形にカットしたりして、そこに筒状織布を挿入して縫合している。
【００１０】
このため、筒状織布のカット面付近に縫製によって連結する場合は、加圧すると筒状織布のカット面から糸抜けが起こり、注入した流動性材料が漏れることがあった。
【００１１】
また、直線状の切り込みでは、筒状織布が膨らんだ時に切り込みの端部において隙間が生じやすく、そのため、注入した流動性材料の漏れが生じやすいという問題があった。
【特許文献１】特開２００４−２５１１０１号公報
【特許文献２】特開２００５−１３９６６７号公報
【発明の開示】
【発明が解決しようとする課題】
【００１２】
本発明は、上記従来の土木用袋体の連結構造及びこの連結構造を用いた土木用袋体が有する問題点に鑑み、加圧時の切り込み部からの糸抜けを防止し筒状織布の連結強度を上げるとともに、膨張時に注入した流動性材料が漏れることを防止することができるようにした土木用袋体の連結構造及びこの連結構造を用いた土木用袋体を提供することを目的とする。
【課題を解決するための手段】
【００１３】
上記目的を達成するため、本発明の土木用袋体の連結構造は、筒状織布に開口部を形成するとともに、該開口部に他の筒状織布を挿入して接合するようにした土木用袋体の連結構造において、前記開口部を、１辺が他の筒状織布の直径と略同長の十文字の切り込みにより形成するとともに、該切り込みを対角線とする四角形の外周部を他の筒状織布に縫着したことを特徴とする。
【００１４】
この場合において、筒状織布が熱溶融性繊維からなり、十文字の切り込みを熱溶融により形成することができる。
【００１５】
また、十文字の切り込み片を筒状織布の内側に折り込むことができる。
【００１６】
また、切り込み片を内側に折り返して筒状織布に重ね、該筒状織布とともに他の筒状織布に縫着することができる。
【００１７】
また、切り込み片を切り込みの端部より外側で折り返すことができる。
【００１８】
また、筒状織布の織目に対し、十文字の切り込みをバイアスに設けることができる。
【００１９】
また、縫着部において他の筒状織布を半径内方向にたるませ、該他の筒状織布の縫着部の周長が元の周長より小さくなるように縫着することができる。
【００２０】
また、他の筒状織布に、該他の筒状織布を周方向に４分割する長手方向の色糸を織り込むことができる。
【００２１】
また、同じ目的を達成するため、本発明の土木用袋体は、上記本発明の連結構造を有し、他の筒状織布により流動性材料の注入口を形成したことを特徴とする。
【発明の効果】
【００２２】
本発明の土木用袋体の連結構造及びこの連結構造を用いた土木用袋体によれば、筒状織布に開口部を形成するとともに、該開口部に他の筒状織布を挿入して接合するようにした土木用袋体の連結構造において、前記開口部を、１辺が他の筒状織布の直径と略同長の十文字の切り込みにより形成するとともに、該切り込みを対角線とする四角形の外周部を他の筒状織布に縫着することから、切り込み部付近に力がかからず、加圧時の切り込み部からの糸抜けを防止することができ、これにより、筒状織布の連結強度を上げるとともに、従来の直線状切り込みのように膨張時に切り込みの端部において隙間が生じることがなく、これによって、注入した流動性材料が漏れることを防止することができる。
【００２３】
この場合において、筒状織布が熱溶融性繊維からなり、十文字の切り込みを熱溶融により形成することにより、切り込みの切断面を熱で溶かして固めることができ、これにより、縫製作業中や流動性材料の注入中のほつれを防止し、安定した品質を得ることができる。
【００２４】
また、十文字の切り込み片を筒状織布の内側に折り込むことにより、注入した流動性材料によって切り込み片を他の筒状織布に押しつけて、該切り込み片が外側に出て行く力を低減することができ、これにより、連結部が抜ける力を低減することができる。
【００２５】
また、施工中や運搬中に切り込み片が引っかかってほつれたりすることがなく、さらに、見た目も向上する。
【００２６】
また、切り込み片を内側に折り返して筒状織布に重ね、該筒状織布とともに他の筒状織布に縫着することにより、内側に折り返した切り込み片が筒状織布と一体化されるので、内圧による膨張が減少し、縫製糸の負担を低減することができ、また、切断面の糸抜けも低減させることができる。
【００２７】
また、切り込み片を切り込みの端部より外側で折り返すことにより、切り込みの端部も筒状織布の基布が２重になるため、この切り込み端部からの糸のほつれを抑制することができる。
【００２８】
また、筒状織布の織目に対し、十文字の切り込みをバイアス（斜め）に設けることにより、縫製の方向と筒状織布の繊維の方向を一致させ、筒状織布の織物が縫製糸の伸びを抑えることができ、これにより、縫製糸の強度負担を減じて縫着強度を上げることができ、また、切断される経糸及び緯糸の本数が少なくなり、切り込みを設けることによる筒状織布の強度の低下を抑えることができる。
【００２９】
また、縫着部において他の筒状織布を半径内方向にたるませ、該他の筒状織布の縫着部の周長が元の周長より小さくなるように縫着することにより、他の筒状織布がややたるんだ状態で縫着されることになり、縫製作業中に縫製糸や他の筒状織布の繊維が傷つきにくく、強度が安定する。
【００３０】
また、土木用袋体を構造物として使用する場合には、他の筒状織布が平行筒状であっても、注入した流動性材料が硬化後にはくさび効果で筒状織布との接続を強固にすることができる。
【００３１】
さらに、周長が小さくなることで、縫着部に加わる力も小さくなり、破断しにくくなる。
【００３２】
また、他の筒状織布に、該他の筒状織布を周方向に４分割する長手方向の色糸を織り込むことにより、色糸を十字の切り込み端部に合わせるだけで簡単に位置合わせをすることができ、また、取り付け時に筒状織布の捻れが発生しないので、安定した品質を得ることができる。
【発明を実施するための最良の形態】
【００３３】
以下、本発明の土木用袋体の連結構造及びこの連結構造を用いた土木用袋体の実施の形態を、図面に基づいて説明する。
【実施例１】
【００３４】
図１〜図３に、本発明の土木用袋体の連結構造及びこの連結構造を用いた土木用袋体の一実施例を示す。
【００３５】
この土木用袋体の連結構造は、筒状織布Ａに開口部１を形成するとともに、該開口部１に他の筒状織布Ｂを挿入して接合するようにしている。
【００３６】
そして、この土木用袋体の連結構造は、前記開口部１を、１辺が他の筒状織布Ｂの直径と略同長の十文字の切り込み２により形成するとともに、該切り込み２を対角線とする四角形の外周部を他の筒状織布Ｂに縫製糸３により縫着されている。
【００３７】
なお、切り込み２の１辺の長さは、他の筒状織布Ｂの直径の８０〜１０５％程度が好適である。
【００３８】
筒状織布Ａ、Ｂは、共に直径１００ｍｍの一定径の筒状部６と直径１５０ｍｍの球状の大径部７を有した透水性を有する異径筒状織布からなり、円周方向の糸はスパイラル状に連続して織り込まれている。
【００３９】
筒状織布Ａ、Ｂは、経糸・緯糸ともポリエステル繊維で太さは１５００ｄ／３本、密度は経１０．３本／ｃｍ、緯５．５本／ｃｍで織組織は平織りである。環状織機で織られており、緯糸が筒状織布の前記スパイラル状の糸を構成する。
【００４０】
筒状織布Ａの大径部７に、前記十文字の切り込み２による１対の開口部１を形成するとともに、該開口部１に、大径部７を備えた他の異径筒状織布Ｂを貫通させ、大径部７同士を重ねた状態で前記筒状織布Ａの開口縁部と該開口縁部に当接する前記他の筒状織布Ｂとを縫着し、該他の筒状織布Ｂに筒状織布Ａの内部と連通する孔４と流動性材料の注入口５（図２〜図３参照）とを設けている。
【００４１】
このような土木用袋体は、図２〜図３に示すように、連結を繰り返すことにより、連続する十字や格子構造体として構築することができる。
【００４２】
ここで、筒状織布Ｂが長尺の場合、ミシンの都合などで連結しにくい場合がある。
【００４３】
このような場合は、図４に示すように、短尺にカットした筒状織布Ｂを筒状織布Ａに連結してから、そこに残りの筒状織布Ｂ１を固着させればよい。
【００４４】
固着の手段としては、筒状織布Ａに連結された筒状織布Ｂに残りの筒状織布Ｂを被せ、この重ね合わせた筒状織布Ｂの間にシート状のホットメルト接着剤８を挟み込んでおいて、熱プレスを行えば簡単に接着することができる。
【００４５】
重ね合わせの長さは、接着強度や筒状織布Ｂの直径、注入圧力を考慮し、適宜設計すればよい。
【００４６】
また、環状織機で織製された筒状織物は、織物密度によっては耳部が固くなる。こういった場合は、重ね合わせる筒状織布Ｂ同士の耳の位置をずらした方が接着しやすく、また、注入した流動性材料が漏れにくい。
【００４７】
一方、図５に示すように、筒状織布Ａ及び他の筒状織布Ｂとして、一定径の平行筒状のものも使用することができる。
【００４８】
すなわち、この土木用袋体の連結構造は、筒状織布Ａに開口部１を形成するとともに、該開口部１に他の筒状織布Ｂを挿入して接合するようにしている。
【００４９】
そして、この土木用袋体の連結構造は、前記開口部１を、１辺が他の筒状織布Ｂの直径と略同長の十文字の切り込み２により形成するとともに、該切り込み２を対角線とする四角形の外周部を他の筒状織布Ｂに縫製糸３により縫着するようにしている。
【００５０】
なお、平行筒状の筒状織布Ａ、Ｂを使用する場合や、大径部を有する筒状織布Ａ、Ｂを使用する場合において、図示した実施例では、他の筒状織布Ｂは筒状織布Ａを貫通しているが、貫通しないように筒状織布Ａの片側だけに他の筒状織布Ｂを連結するＴ字状接続にすることも可能である。
【００５１】
ところで、本実施例では、筒状織布Ａ、Ｂが熱溶融性繊維からなるため、その融点よりも高い温度に熱した番線や帯鋼などを筒状織布Ａに押し当て、十文字の切り込み２を熱溶融により形成することができる。
【００５２】
これにより、切り込み２の切断面を熱で溶かして固めることができ、縫製作業中や流動性材料の注入中のほつれを防止し、安定した品質を得ることができる。
【００５３】
また、十文字の切り込み片２１は、図６（ａ）に示すように、筒状織布Ａの外側に出すこともできるが、図６（ｂ）に示すように、筒状織布Ａの内側に折り込んだり、図６（ｃ）に示すように、切り込み片２１を内側に折り返して筒状織布Ａに重ね、該筒状織布Ａとともに他の筒状織布Ｂに縫着することができる。
【００５４】
切り込み片２１を筒状織布Ａの内側に折り込むことにより、注入した流動性材料によって切り込み片２１を他の筒状織布Ｂに押しつけて、該切り込み片２１が外側に出て行く力を低減することができ、これにより、連結部が抜ける力を低減することができ、また、施工中や運搬中に切り込み片２１が引っかかってほつれたりすることがなく、さらに見た目も向上する。
【００５５】
また、切り込み片２１を筒状織布Ａに重ねて他の筒状織布Ｂに縫着することにより、内側に折り返した切り込み片２１が筒状織布Ａや筒状織布Ｂと一体化されるので、内圧による膨張が減少し、縫製糸３の負担を低減することができ、また、切断面の糸抜けも低減させることができる。
【００５６】
この場合、切り込み片２１を切り込み２の端部より外側で折り返すことにより、切り込み２の端部も筒状織布Ａの基布が２重になるため、この切り込み端部からの糸のほつれを抑制することができる。
【００５７】
そして、本実施例では、筒状織布Ａの織目に対し、十文字の切り込み２をバイアス（斜め）に設けており、縫製の方向と筒状織布Ａの繊維の方向を一致させている。
【００５８】
これにより、筒状織布Ａの織物が縫製糸３の伸びを抑えることができ、縫製糸３の強度負担を減じて縫着強度を上げることができる。
【００５９】
なお、十文字の切り込み２を筒状織布Ａの織目に沿って、すなわち、経糸及び緯糸と平行に設けることを排除するものではないが、十文字の切り込み２の長さが同じ場合には、十文字の切り込み２をバイアス（斜め）に設けた方が切断される経糸及び緯糸の本数が少なくなり、切り込み２を設けることによる筒状織布Ａの強度の低下を抑えることができる。
【００６０】
また、縫着部において他の筒状織布Ｂを半径内方向にたるませ、該他の筒状織布Ｂの縫着部の周長が元の周長より小さくなるように縫着することも可能である。
【００６１】
これにより、他の筒状織布Ｂがややたるんだ状態で縫着されることになり、縫製作業中に縫製糸３や他の筒状織布Ｂの繊維が傷つきにくく、強度が安定する。
【００６２】
また、土木用袋体を構造物として使用する場合には、他の筒状織布Ｂが平行筒状であっても、縫着部がくびれて細くなることから、注入した流動性材料が硬化後にはくさび効果で筒状織布Ａとの接続を強固にすることができる。
【００６３】
さらに、周長が小さくなることで、縫着部に加わる力も小さくなり、破断しにくくなる。
【００６４】
さらに、図５に示すように、他の筒状織布Ｂに、該他の筒状織布Ｂを周方向に４分割する長手方向の色糸９を織り込むことができる。
【００６５】
これにより、色糸９を十字の切り込み端部に合わせるだけで簡単に位置合わせをすることができ、また、取り付け時に他の筒状織布Ｂの捻れが発生しないので、安定した品質を得ることができる。
【００６６】
本発明の土木用袋体の連結構造は、上記特許文献１〜２に記載されているような地盤表面の補強や地盤内部の補強を行うための十字形状又はそれを連結した連続十字形状もしくは格子形状の構造物に好適に適用することができるが、このほか、図７に示すような、矩形袋状の土木用袋体にも適用することができる。
【００６７】
この土木用袋体は、筒状織布Ａに開口部１を形成するとともに、該開口部１に他の筒状織布Ｂを挿入して接合するようにしている。
【００６８】
そして、この土木用袋体は、前記開口部１を、１辺が他の筒状織布Ｂの直径と略同長の十文字の切り込み２により形成するとともに、該切り込み２を対角線とする四角形の外周部を他の筒状織布Ｂに縫着し、該他の筒状織布Ｂにより流動性材料の注入口１０を形成している。
【００６９】
袋体側の筒状織布Ａとしては、例えば、ポリエステル繊維の経糸（１１００Ｔ／２）、緯糸（１１００Ｔ／４）で織成された直径１．１ｍ、長さ２．５ｍ、目付５２７ｇ／ｍ２の筒状織物からなり、内容積が１．３ｍ３、耐圧力が０．１ＭＰａであるものを使用できる。
【００７０】
この袋体側の筒状織布Ａに泥土が注入されると、図７に示すように、筒状織布Ａは膨張して、高さが８００ｍｍ程度の扁平な形状になる。
【００７１】
この袋体側の筒状織布Ａの目開きは、ノギス等では実測できないくらい小さくなっており、注入された高含水比の泥土に含まれる水分のみが当該織物を通過することが可能であり、筒状織布Ａに泥土を注入して放置することにより泥土の脱水を行うことができる。
【００７２】
なお、袋体側の筒状織布Ａは、２枚の織布を重ね合わせてその縁部を縫着して筒状に形成したものを使用可能であり、容易に作製することができる。
【００７３】
また、この袋体側の筒状織布Ａとして、複数本の並列した経糸と、この経糸に対してスパイラル状に連続して織り込まれた緯糸とからなる、周方向に継ぎ目のない筒状織物を用いることも可能である。
【００７４】
この場合、当該筒状織布Ａは高い破断圧力を有しているため、ポンプ等の注入手段により泥土を加圧注入して膨張させても容易に破断せず、ポンプ等を用いた大規模な施工を行う際に好適である。
【００７５】
また、筒状織布Ａの両端部を閉塞する際に、両端部を折り曲げた状態で縫着することにより、縫着部の隙間から袋体内の泥土が流出することを防ぐことができる。
【００７６】
そして、注入口１０は、本実施例では、注入口１０を形成する他の筒状織布Ｂとして直径１５０ｍｍのものを用いた。
【００７７】
袋体側の筒状織布Ａには、１辺の長さが１２０ｍｍの十文字切り込み２を施し、そこに注入口１０となる他の筒状織布Ｂを挿入して縫着により固定した。
【００７８】
なお、注入口１０の筒状織布Ｂをさらに袋体側の筒状織布Ａの奥まで伸ばし、先端を閉塞して側面から流動性材料を排出させることにより、鋭利な砕石が泥土中に存在していても袋体側の筒状織布Ａに直接当たることを防いで、袋体側の筒状織布Ａの傷つきを防止することができる。
【００７９】
この場合、十文字の切り込み片２１は、図６（ａ）に示すように、筒状織布Ａの外側に出すこともできるが、図６（ｂ）に示すように、筒状織布Ａの内側に折り込んだり、図６（ｃ）に示すように、切り込み片２１を内側に折り返して筒状織布Ａに重ね、該筒状織布Ａとともに他の筒状織布Ｂに縫着することができる。
【００８０】
切り込み片２１を筒状織布Ａの内側に折り込むことにより、注入した流動性材料によって切り込み片２１を他の筒状織布Ｂに押しつけて、該切り込み片２１が外側に出て行く力を低減することができ、これにより、連結部が抜ける力を低減することができ、また、施工中や運搬中に切り込み片２１が引っかかってほつれたりすることがなく、さらに見た目も向上する。
【００８１】
かくして、本実施例の土木用袋体の連結構造及びこの連結構造を用いた土木用袋体は、筒状織布Ａに開口部１を形成するとともに、該開口部１に他の筒状織布Ｂを挿入して接合するようにした土木用袋体の連結構造において、前記開口部１を、１辺が他の筒状織布Ｂの直径と略同長の十文字の切り込み２により形成するとともに、該切り込み２を対角線とする四角形の外周部を他の筒状織布Ｂに縫着することから、切り込み部付近に力がかからず、加圧時の切り込み部からの糸抜けを防止することができ、これにより、筒状織布Ａ、Ｂの連結強度を上げるとともに、従来の直線状切り込みのように膨張時に切り込みの端部において隙間が生じることがなく、注入した流動性材料が漏れることを防止することができる。
【００８２】
以上、本発明の土木用袋体の連結構造及びこの連結構造を用いた土木用袋体について、その実施例に基づいて説明したが、本発明は上記実施例に記載した構成に限定されるものではなく、その趣旨を逸脱しない範囲において適宜その構成を変更することができる。
【産業上の利用可能性】
【００８３】
本発明の土木用袋体の連結構造及びこの連結構造を用いた土木用袋体は、加圧時の切り込み部からの糸抜けを防止し筒状織布の連結強度を上げるとともに、膨張時に注入した流動性材料が漏れることを防止することができるという特性を有していることから、地盤安定化土木工法の用途に用いられる土木用袋体に好適に用いることができる。
【図面の簡単な説明】
【００８４】
【図１】本発明の土木用袋体の連結構造の一実施例を示し、（ａ）は筒状織布に切り込みを設けた状態を示す組み立て前の斜視図、（ｂ）は切り込みを開いて開口部を形成した状態を示す組み立て前の斜視図、（ｃ）は筒状織布に他の筒状織布を挿入して縫着した状態を示す斜視図である。
【図２】筒状織布と他の筒状織布を連続する十字に組み立てた状態を示す斜視図である。
【図３】筒状織布と他の筒状織布を格子状に組み立てた状態を示す斜視図である。
【図４】他の筒状織布の継ぎ足しを示す斜視図である。
【図５】平行筒状の筒状織布による土木用袋体の連結構造の一実施例を示し、（ａ）は筒状織布に切り込みを設けた状態を示す組み立て前の斜視図、（ｂ）筒状織布に他の筒状織布を挿入して縫着した状態を示す斜視図である。
【図６】筒状織布と他の筒状織布を連結した断面を示し、（ａ）は切り込み片を筒状織布の外に出した断面図、（ｂ）は切り込み片を筒状織布の内側に入れた状態を示す断面図、（ｃ）は切り込み片を内側に折り返して筒状織布とともに他の筒状織布Ｂに縫着した状態を示す断面図である。
【図７】本発明の土木用袋体の一実施例を示す斜視図である。
【符号の説明】
【００８５】
Ａ    筒状織布
Ｂ    他の筒状織布
１    開口部
２    切り込み
２１  切り込み片
３    縫製糸
４    孔
５    注入口
６    筒状部
７    大径部
８    ホットメルト接着剤
９    色糸
１０  注入口
【図１】
0004959591.tif 000002
【図２】
0004959591.tif 000003
【図３】
0004959591.tif 000004
【図４】
0004959591.tif 000005
【図５】
0004959591.tif 000006
【図６】
0004959591.tif 000007
【図７】
0004959591.tif 000008